(57)【要約】【課題】保護部品の透過率の低下を検知することが可能な体毛用光照射装置を提供する。【解決手段】体毛用光照射装置１０は、筐体部品１１、光源部品１２、保護部品１３、および検知装置４０を有する。保護部品１３は、光源部品１２を覆う。光源部品１２は、保護部品１３を透過する光を出力する。検知装置４０は、検知光源部４１および劣化報知部４５を有する。検知光源部４１は、検知用発光部４２、検知用受光部４３、および劣化判定部４４を有する。検知用発光部４２は、保護部品１３を透過する光を照射する。検知用受光部４３は、検知用発光部４２から出力された光を受光する。検知用受光部４３は、受光した光に応じて発生する光電流を劣化判定部４４に出力する。劣化判定部４４は、光電流の電圧が基準電圧未満のとき、劣化検知信号を劣化報知部４５に出力する。劣化報知部４５は、劣化検知信号に応じて劣化報知動作を行う。【選択図】図１
2014144151.tif 000002
【特許請求の範囲】
【請求項１】
体毛用光照射装置であって、
前記体毛用光照射装置は、光源部品、保護部品、および検知装置を有し、
前記保護部品は、前記光源部品を覆い、
前記光源部品は、前記保護部品を透過する光を出力し、
前記検知装置は、前記保護部品を透過または反射した光を利用して劣化検知信号を生成する
体毛用光照射装置。
【請求項２】
前記検知装置は、劣化判定部および劣化報知部を有し、
前記劣化判定部は、前記劣化検知信号を生成し、生成した前記劣化検知信号を前記劣化報知部に出力し、
前記劣化報知部は、前記劣化検知信号に応じて劣化報知動作を行う
請求項１に記載の体毛用光照射装置。
【請求項３】
前記劣化判定部は、前記保護部品を透過または反射した光により発生する光電流の電圧が基準電圧未満のとき、前記劣化検知信号を生成する
請求項２に記載の体毛用光照射装置。
【請求項４】
前記体毛用光照射装置は、筐体部品および収容空間を有し、
前記筐体部品は、前記収容空間を形成し、
前記収容空間は、前記光源部品を収容し、
前記検知装置は、検知光源部を有し、
前記検知光源部は、検知用発光部および検知用受光部を有し、
前記検知用発光部は、前記保護部品を透過する光を出力し、
前記検知用受光部は、前記保護部品を透過または反射した光を受光し、受光した光に応じて発生する光電流を前記劣化判定部に出力する
請求項２または３に記載の体毛用光照射装置。
【発明の詳細な説明】
【技術分野】
【０００１】
本発明は、体毛用光照射装置に関する。
【背景技術】
【０００２】
特許文献１は、従来の体毛用光照射装置の一例を開示している。図４は、特許文献１の体毛用光照射装置１００を示している。体毛用光照射装置１００は、光照射部１１０および制御部１２０を有する。光照射部１１０は、ハウジング１１１、光源部１１２、保護部品としての集光レンズ１１３、および導光部１１４を有する。ハウジング１１１は、光源部１１２を収容している。光源部１１２は、集光レンズ１１３に光を照射する。集光レンズ１１３は、光源部１１２から照射された光を集める。導光部１１４は、集光レンズ１１３を透過した光を頭皮に照射する。
【先行技術文献】
【特許文献】
【０００３】
【特許文献１】特開２０１１−６２４２２号公報
【発明の概要】
【発明が解決しようとする課題】
【０００４】
本願発明者は、体毛用光照射装置１００が次の課題を含むことを見出した。
集光レンズ１１３は、経時劣化または汚れの付着が生じた場合、透過率が低下する。このため、集光レンズ１１３の経時劣化、または集光レンズ１１３における汚れの付着が生じた場合、育毛の促進に適した量の光が頭皮に照射されないおそれがある。しかし、体毛用光照射装置１００は、集光レンズ１１３の透過率の低下を検知する機能を有していない。このため、体毛用光照射装置１００は、集光レンズ１１３の透過率が低下した状態において継続的に使用されるおそれがある。なお、ここでは、育毛作用を促進させる体毛用光照射装置の課題について言及したが、抑毛作用または脱毛作用を促進させる体毛用光照射装置も同様の課題を含む。
【０００５】
本発明は、以上の背景をもとに創作されたものであり、保護部品の透過率の低下を検知することが可能な体毛用光照射装置を提供することを目的とする。
【課題を解決するための手段】
【０００６】
（１）本手段の一形態は、「体毛用光照射装置であって、前記体毛用光照射装置は、光源部品、保護部品、および検知装置を有し、前記保護部品は、前記光源部品を覆い、前記光源部品は、前記保護部品を透過する光を出力し、前記検知装置は、前記保護部品を透過または反射した光を利用して劣化検知信号を生成する体毛用光照射装置」を含む。
【０００７】
（２）上記手段の一形態は、「前記検知装置は、劣化判定部および劣化報知部を有し、前記劣化判定部は、前記劣化検知信号を生成し、生成した前記劣化検知信号を前記劣化報知部に出力し、前記劣化報知部は、前記劣化検知信号に応じて劣化報知動作を行う体毛用光照射装置」を含む。
【０００８】
（３）上記手段の一形態は、「前記劣化判定部は、前記保護部品を透過または反射した光により発生する光電流の電圧が基準電圧未満のとき、前記劣化検知信号を生成する体毛用光照射装置」を含む。
【０００９】
（４）上記手段の一形態は、「前記体毛用光照射装置は、筐体部品および収容空間を有し、前記筐体部品は、前記収容空間を形成し、前記収容空間は、前記光源部品を収容し、前記検知装置は、検知光源部を有し、前記検知光源部は、検知用発光部および検知用受光部を有し、前記検知用発光部は、前記保護部品を透過する光を出力し、前記検知用受光部は、前記保護部品を透過または反射した光を受光し、受光した光に応じて発生する光電流を前記劣化判定部に出力する体毛用光照射装置」を含む。
【００１０】
本体毛用光照射装置は、次の効果を奏する。検知装置は、保護部品を透過または反射した光を利用して劣化検知信号を生成する。保護部品を透過または反射する光の量は、保護部品の透過率に応じて変化する。このため、劣化検知信号は、汚れの付着または経時劣化により保護部品の透過率が低下しているとき、保護部品の透過率の低下を反映する。このため、本体毛用光照射装置は、保護部品の透過率の低下を検知することができる。
【発明の効果】
【００１１】
本体毛用光照射装置は、保護部品の透過率の低下を検知することができる。
【図面の簡単な説明】
【００１２】
【図１】第１実施形態の体毛用光照射装置の断面図。
【図２】第１実施形態の体毛用光照射装置のブロック図。
【図３】第２実施形態の体毛用光照射装置の断面図。
【図４】従来の体毛用光照射装置の断面図。
【発明を実施するための形態】
【００１３】
（第１実施形態）
体毛用光照射装置１０は、図１に示される構造を有する。体毛用光照射装置１０は、育毛作用を促進させる育毛型光照射装置の形態を有する。体毛用光照射装置１０は、複数の構成部品、複数の構成装置、および機能空間を有する。体毛用光照射装置１０の複数の構成部品は、筐体部品１１、複数の光源部品１２、および保護部品１３を含む。体毛用光照射装置１０の複数の構成装置は、電源装置２０、駆動装置３０、および検知装置４０を含む。体毛用光照射装置１０の機能空間は、収容空間１４を含む。
【００１４】
筐体部品１１は、遮光性が高い樹脂材料により形成されている。筐体部品１１は、筐体側壁１１Ａおよび光源用台１１Ｂを有する。筐体部品１１は、筐体側壁１１Ａおよび光源用台１１Ｂが同一の樹脂材料により一体的に形成された構造を有する。筐体部品１１は、収容空間１４を形成している。
【００１５】
光源部品１２としてのＬＥＤランプは、収容空間１４に配置されている。光源部品１２は、筐体部品１１の幅方向において光源用台１１Ｂと対向しない箇所に配置されている。光源部品１２は、筐体部品１１と結合されている。光源部品１２は、保護部品１３を透過する光を出力する。
【００１６】
保護部品１３は、透過率が高い樹脂材料またはガラスにより形成されている。保護部品１３は、筐体部品１１の開口部に配置されている。保護部品１３は、筐体部品１１と結合されている。保護部品１３は、筐体部品１１の開口部を閉塞している。保護部品１３は、光源部品１２を覆う。
【００１７】
電源装置２０は、筐体部品１１の内部に配置されている。電源装置２０は、１次電池または２次電池を内蔵している。電源装置２０は、体毛用光照射装置１０の構成部品および構成装置に電力を供給する。
【００１８】
駆動装置３０は、筐体部品１１の内部に配置されている。駆動装置３０は、電源装置２０から電力の供給を受ける。駆動装置３０は、供給された電力により光源部品１２を駆動する。
【００１９】
体毛用光照射装置１０は、育毛作用を促進させるために頭皮に照射される光（以下、「育毛作用光」）を出力する。育毛作用光は、育毛作用を促進させることに貢献するスペクトルを有する。育毛作用光のスペクトルは、光源部品１２から照射された光が保護部品１３を透過することにより形成される。育毛作用光のスペクトルは、一例として、近赤外光の波長領域において他の波長領域よりも高い強度を有する。
【００２０】
検知装置４０は、検知光源部４１、劣化判定部４４、および劣化報知部４５を有する。検知光源部４１は、検知用発光部４２および検知用受光部４３を有する。検知用発光部４２および検知用受光部４３は、透過型フォトセンサーを形成している。
【００２１】
検知用発光部４２は、収容空間１４に配置されている。検知用発光部４２は、筐体部品１１の幅方向において筐体側壁１１Ａと隣り合う箇所に配置されている。検知用発光部４２は、発光素子を有する。検知用発光部４２は、発光素子の一例としてＬＥＤを有する。
【００２２】
検知用受光部４３は、収容空間１４の外部に配置されている。検知用受光部４３は、保護部品１３の外面上に配置されている。検知用受光部４３は、筐体部品１１の幅方向において筐体側壁１１Ａと隣り合う箇所に配置されている。検知用受光部４３は、筐体部品１１の幅方向において検知用発光部４２と対向する箇所に配置されている。検知用受光部４３は、受光素子を有する。検知用受光部４３は、受光素子の一例としてフォトダイオードを有する。
【００２３】
劣化判定部４４は、筐体部品１１の内部に配置されている。劣化判定部４４は、検知用受光部４３が出力する光電流に応じて劣化検知信号を生成し、生成した劣化検知信号を劣化報知部４５に出力する。
【００２４】
劣化報知部４５は、筐体部品１１の内部に配置されている。劣化報知部４５は、光源を有する。劣化報知部４５は、光源の一例としてＬＥＤランプを有する。ＬＥＤランプは、可視光を出力する。劣化報知部４５の光源の一部は、筐体部品１１の外部に露出している。劣化報知部４５は、保護部品１３の透過性能に関する情報を使用者に報知する劣化報知動作を行う。
【００２５】
体毛用光照射装置１０は、図２に示されるブロック構造を有する。
電源装置２０は、駆動装置３０、検知用受光部４３、劣化判定部４４、および劣化報知部４５に電力を供給する。駆動装置３０は、光源部品１２および検知用発光部４２に対して個別に電力を供給することにより、光源部品１２および検知用発光部４２を個別に動作させる。駆動装置３０は、駆動装置３０自身の電源が投入されたとき、検知用発光部４２に検知開始信号を出力する。駆動装置３０は、検知開始信号を出力した後、次に駆動装置３０の電源が投入されるまでの間、検知開始信号を出力しない。
【００２６】
検知用発光部４２は、保護部品１３を透過する光（以下、「劣化検知光」）を出力する。検知用発光部４２は、検知開始信号を受信したとき、劣化検知光を出力する。劣化検知光は、保護部品１３の透過率の低下を検知することに適したスペクトルを有する。劣化検知光は、保護部品１３を透過して検知用受光部４３に入射する。
【００２７】
検知用受光部４３は、劣化検知光を受光する。検知用受光部４３は、受光した劣化検知光に応じて発生する光電流を劣化判定部４４に出力する。検知用受光部４３が出力する光電流は、検知用受光部４３が受光した劣化検知光の量が大きくなるにつれて増加する。
【００２８】
劣化判定部４４は、光電流の電圧と基準電圧とを比較し、比較の結果に応じて劣化検知信号の生成および出力に関する動作を変化させる。劣化判定部４４は、光電流の電圧が基準電圧未満のとき、劣化検知信号を生成し、生成した劣化検知信号を劣化報知部４５に出力する。劣化判定部４４は、光電流の電圧が基準電圧以上のとき、劣化検知信号を生成しない。
【００２９】
基準電圧は、保護部品１３の透過率が基準の透過率よりも低いことを判定するための電圧として生成される。基準の透過率は、好ましい育毛作用が得られない程度まで保護部品１３の透過率が低下していることを評価するための基準値を示す。光電流の電圧は、基準電圧未満のとき、保護部品１３の透過率が基準の透過率よりも低いことを示唆している。
【００３０】
劣化報知部４５は、劣化検知信号を受信したとき、劣化報知動作を行う。劣化報知部４５は、劣化報知動作としてＬＥＤランプを点灯する。劣化報知部４５は、劣化検知信号を受信していないとき、劣化報知動作を行わない、または劣化報知動作を停止する。
【００３１】
体毛用光照射装置１０は、以下の作用および効果を奏する。
（１）体毛用光照射装置１０は、検知装置４０を有する。検知装置４０は、劣化判定部４４を有する。劣化判定部４４は、検知用受光部４３の光電流の電圧に応じて劣化検知信号を生成する。すなわち、検知装置４０は、保護部品１３を透過した光を利用して劣化検知信号を生成する。保護部品１３を透過する光の量は、保護部品１３の透過率に応じて変化する。このため、劣化検知信号は、経時劣化により保護部品１３の透過率が低下しているとき、保護部品１３の透過率の低下を反映する。このため、体毛用光照射装置１０は、保護部品１３の透過率が低下していることを検知することができる。
【００３２】
（２）劣化報知部４５は、劣化検知信号を受信したとき、劣化報知動作を行う。このため、体毛用光照射装置１０は、保護部品１３の透過率が基準の透過率よりも低いことを使用者に報知することができる。このため、保護部品１３の透過率が低下した状態において体毛用光照射装置１０が使用される可能性が低減される。このため、好ましい育毛作用が得られる可能性が高められる。
【００３３】
（３）体毛用光照射装置１０は、保護部品１３の透過率の低下を検知することに特化した検知用発光部４２を有する。検知用発光部４２は、光源部品１２と比較して、光の照射に関する累積時間が短い。このため、検知用発光部４２は、光源部品１２と比較して寿命が低下しにくい。このため、体毛用光照射装置１０は、累積の使用時間が増加したとき、保護部品１３の透過率の低下に関する検知の精度が低下しにくい。
【００３４】
（４）体毛用光照射装置１０は、仮想の体毛用光照射装置（以下、「仮想光照射装置」）と比較して以下の有利な効果を奏する。仮想光照射装置は、検知装置４０を有していない点において体毛用光照射装置１０と相違し、その他の点において体毛用光照射装置１０と同じ構造を有する。なお、仮想光照射装置に関する説明は、体毛用光照射装置１０と共通する仮想光照射装置の構成要素に対して、体毛用光照射装置１０の構成要素と同じ符号を用いている。
【００３５】
仮想光照射装置は、育毛作用光を照射する。育毛作用光は、近赤外光の波長領域において高い強度を有する。このため、仮想光照射装置の使用者は、保護部品１３を透過する光の量の低下を視認することが難しい。このため、仮想光照射装置は、保護部品１３を透過する光の量が低下した状態が解消されにくい。このため、好ましい育毛作用が得られないおそれが高い。
【００３６】
一方、体毛用光照射装置１０は、検知装置４０を有する。このため、体毛用光照射装置１０は、保護部品１３を透過する光の量が保護部品１３の透過率の低下に起因して低下していることを、使用者に報知することができる。このため、使用者は、保護部品１３の透過率が低下している状態を改善するためのきっかけを得ることができる。このため、体毛用光照射装置１０は、仮想光照射装置と比較して、好ましい育毛作用が得られないおそれが低減される。
【００３７】
（第２実施形態）
図３は、第２実施形態の体毛用光照射装置６０の一例を示している。第２実施形態の体毛用光照射装置６０は、複数の構成部品、複数の構成装置、および複数の機能空間（以下、「第２実施形態の構成要素」）を有する。第２実施形態の構成要素は、第１実施形態の体毛用光照射装置１０が有する複数の構成部品、複数の構成装置、および機能空間（以下、「第１実施形態の構成要素」）と同様または類似の構造および機能を有する。第２実施形態の体毛用光照射装置６０の説明は、第１実施形態の構成要素と同様または類似の構造および機能を有する第２実施形態の構成要素の説明の一部または全部を省略する。
【００３８】
第２実施形態の検知装置４０は、検知光源部４１および劣化報知部４５に加えて、受光部用駆動装置５０を有する。検知装置４０は、体毛用光照射装置６０の構成部品により形成された複数の機能空間を有する。検知装置４０の複数の機能空間は、退避用空間４６および検知用空間４７を含む。退避用空間４６は、筐体部品１１の壁部に形成されている。検知用空間４７は、保護部品１３の外面と検知用受光部４３との間に形成される。
【００３９】
駆動装置３０は、駆動装置３０自身の電源が投入されたとき、検知用発光部４２および受光部用駆動装置５０のそれぞれに検知開始信号を出力する。駆動装置３０は、検知開始信号を出力した後、次に駆動装置３０の電源が投入されるまでの間、検知開始信号を出力しない。
【００４０】
受光部用駆動装置５０は、電源装置２０から供給される電力により駆動する。受光部用駆動装置５０は、検知用受光部４３を筐体部品１１に対して移動させる。受光部用駆動装置５０は、筐体部品１１に対する検知用受光部４３の位置を検知位置または退避位置に変化させる。受光部用駆動装置５０は、駆動装置３０から検知開始信号を受信しているとき、検知用受光部４３を検知位置に保持する。受光部用駆動装置５０は、駆動装置３０から検知開始信号を受信していないとき、検知用受光部４３を退避位置に保持する。
【００４１】
検知用受光部４３は、検知位置に存在するとき、筐体部品１１の高さ方向において保護部品１３を介して検知用発光部４２と対向する。検知用受光部４３は、検知位置に存在するとき、保護部品１３の外面との間に検知用空間４７を形成する。検知用受光部４３は、退避位置に存在するとき、検知用受光部４３の全体が退避用空間４６に収容される。すなわち、検知用受光部４３は、退避位置に存在するとき、検知用受光部４３の全体が筐体部品１１の壁部に収容される。
【００４２】
第２実施形態の体毛用光照射装置６０は、第１実施形態の体毛用光照射装置１０が奏する（１）〜（４）の効果と同様の効果を奏する。また、第２実施形態の体毛用光照射装置６０は、以下の効果を奏する。
【００４３】
（５）保護部品１３は、外面に汚れが付着することがある。保護部品１３の外面の汚れは、育毛作用光の透過を妨げることがある。このため、保護部品１３の汚れの付着に起因して保護部品１３の透過率が低下している場合、この現象が検知装置４０により検知されることが好ましい。
【００４４】
検知装置４０は、検知用空間４７を有する。検知用受光部４３は、保護部品１３および検知用空間４７を透過した劣化検知光を受光する。このため、検知用受光部４３が受光する劣化検知光の量は、保護部品１３の汚れを反映する可能性が高くなる。このため、検知装置４０は、保護部品１３の汚れの付着に起因して保護部品１３の透過率が低下していることを検知することができる。このため、検知装置４０は、保護部品１３の透過率が低下していることをより正確に検知することができる。
【００４５】
（６）受光部用駆動装置５０は、検知用受光部４３を退避位置に移動させる。検知用受光部４３は、退避位置に存在しているとき、光源部品１２から照射された光が保護部品１３に入射することを妨げにくい。このため、体毛用光照射装置６０は、育毛作用光を効率的に頭皮に照射することができる。
【００４６】
（その他の実施形態）
本体毛用光照射装置は、第１実施形態および第２実施形態とは異なるその他の実施形態を含む。その他の実施形態は、一例として、以下に示される第１実施形態および第２実施形態の変形例を含む。なお、以下の各変形例は、技術的に矛盾しない範囲において互いに組み合わせることができる。
【００４７】
・第１実施形態の検知光源部４１は、筐体部品１１の収容空間１４に検知用発光部４２を有し、収容空間１４の外部に検知用受光部４３を有する。ただし、検知光源部４１の構造は、第１実施形態に例示された内容に限られない。変形例の検知光源部４１は、収容空間１４に検知用受光部４３を有し、収容空間１４の外部に検知用発光部４２を有する。変形例の検知光源部４１は、一例として、第１実施形態の検知用発光部４２が配置されている箇所に検知用受光部４３を有し、第１実施形態の検知用受光部４３が配置されている箇所に検知用発光部４２を有する。なお、第２実施形態の検知光源部４１においても同様の変形が成立する。
【００４８】
・第１実施形態の検知光源部４１は、劣化検知光を出力する検知用発光部４２を有する。ただし、検知光源部４１の構造は、第１実施形態に例示された内容に限られない。変形例の検知光源部４１は、検知用発光部４２に代えて、光源部品１２と同様の構造を有する光源部品を有する。
【００４９】
・第１実施形態の検知光源部４１は、検知用発光部４２および検知用受光部４３により透過型フォトセンサーを形成している。ただし、検知光源部４１の構造は、第１実施形態に例示された内容に限られない。変形例の検知光源部４１は、収容空間１４に検知用発光部４２および検知用受光部４３を有し、検知用発光部４２および検知用受光部４３により反射型フォトセンサーを形成する。別の変形例の検知光源部４１は、収容空間１４の外部に検知用発光部４２および検知用受光部４３を有し、検知用発光部４２および検知用受光部４３により反射型フォトセンサーを形成する。なお、保護部品１３が反射率の低い材料により形成される場合、検知用発光部４２および検知用受光部４３により透過型フォトセンサーが形成されることが好ましい。なお、第２実施形態の検知光源部４１においても同様の変形が成立する。
【００５０】
・第１実施形態の検知光源部４１は、筐体部品１１の壁部と隣り合う箇所に検知用発光部４２および検知用受光部４３を有する。検知用発光部４２および検知用受光部４３は、保護部品１３の端部を介して互いに対向する。ただし、検知光源部４１の構造は、第１実施形態に例示された内容に限られない。変形例の検知光源部４１は、筐体部品１１の幅方向の中間部分に検知用発光部４２および検知用受光部４３を有する。検知用発光部４２および検知用受光部４３は、保護部品１３の中間部分を介して互いに対向する。なお、第２実施形態の検知光源部４１においても同様の変形が成立する。
【００５１】
上記変形を含む体毛用光照射装置６０は、次の効果を奏する。保護部品１３は、保護部品１３の端部よりも保護部品１３の中間部分に汚れが付着しやすい。上記変形を含む体毛用光照射装置６０は、汚れが付着しやすい保護部品１３の中間部分において検知用発光部４２および検知用受光部４３が互いに対向する。このため、上記変形を含む体毛用光照射装置６０は、保護部品１３の汚れの付着に起因して保護部品１３の透過率が低下していることをより正確に検知することができる。
【００５２】
・第１実施形態の検知用発光部４２は、発光素子としてＬＥＤを有する。ただし、検知用発光部４２の構造は、第１実施形態に例示された内容に限られない。変形例の検知用発光部４２は、発光素子の一例として、半導体レーザーダイオードを有する。なお、第２実施形態の検知用発光部４２においても同様の変形が成立する。
【００５３】
・第１実施形態の検知用受光部４３は、受光素子としてフォトダイオードを有する。ただし、検知用受光部４３の構造は、第１実施形態に例示された内容に限られない。変形例の検知用受光部４３は、受光素子の一例としてフォトトランジスタを有する。なお、第２実施形態の検知用受光部４３においても同様の変形が成立する。
【００５４】
・第１実施形態の検知用受光部４３は、保護部品１３の外面上に配置されている。ただし、検知用受光部４３の配置箇所は、第１実施形態に例示された内容に限られない。変形例の検知用受光部４３は、筐体部品１１の高さ方向において保護部品１３の外面から離れた箇所に配置される。このため、この変形例の体毛用光照射装置１０は、保護部品１３および検知用受光部４３の間に空間を有する。この空間は、第２実施形態の検知用空間４７に相当する。このため、この変形例の体毛用光照射装置１０は、第２実施形態の体毛用光照射装置６０が奏する（５）の効果に準じた効果を奏する。
【００５５】
・第１実施形態の劣化報知部４５は、光源の一例としてＬＥＤランプを有する。ただし、劣化報知部４５の構造は、第１実施形態に例示された内容に限られない。変形例の劣化報知部４５は、光源の一例として、蛍光ランプ、キセノンランプ、またはＥＬランプを有する。なお、第２実施形態の劣化報知部４５においても同様の変形が成立する。
【００５６】
・第１実施形態の劣化報知部４５は、劣化報知動作により可視光を出力する。ただし、劣化報知動作の形態は、第１実施形態に例示された内容に限られない。変形例の劣化報知部４５は、劣化報知動作により可視光とは別の報知情報を出力する。この報知情報は、一例として、音、音声、振動、および画像の少なくとも１つを含む。別の変形例の劣化報知部４５は、可視光、音、音声、振動、および画像の少なくとも２つを報知情報として出力する。なお、第２実施形態の劣化報知部４５においても同様の変形が成立する。
【００５７】
・第１実施形態の駆動装置３０は、検知開始信号を出力してから次に駆動装置３０の電源が投入されるまでの間、検知開始信号を出力しない。ただし、駆動装置３０の動作は、第１実施形態に例示された内容に限られない。変形例の駆動装置３０は、検知開始信号を出力してから一定時間が経過する毎に次の検知開始信号を出力する。なお、第２実施形態の駆動装置３０においても同様の変形が成立する。
【００５８】
・第１実施形態の電源装置２０は、１次電池または２次電池を内蔵している。ただし、電源装置２０の構造は、第１実施形態に例示された内容に限られない。変形例の電源装置２０は、外部の電源を体毛用光照射装置１０の各構成部品および各構成装置に供給する。なお、第２実施形態の体毛用光照射装置６０においても同様の変形が成立する。
【００５９】
・第１実施形態の体毛用光照射装置１０は、電源が投入されたとき、駆動装置３０により検知開始信号を出力する。ただし、体毛用光照射装置１０の構造は、第１実施形態に例示された内容に限られない。変形例の体毛用光照射装置１０は、検知用操作部を有する。検知用操作部は、使用者に操作されることにより、検知要求信号を駆動装置３０に出力する。変形例の駆動装置３０は、検知要求信号を受信したとき、検知開始信号を検知用発光部４２に出力する。なお、第２実施形態の体毛用光照射装置６０においても同様の変形が成立する。この体毛用光照射装置６０の駆動装置３０は、検知開始信号を受信したとき、検知用発光部４２および受光部用駆動装置５０に検知開始信号を出力する。
【００６０】
・第１実施形態の体毛用光照射装置１０は、検知用発光部４２を有する。ただし、体毛用光照射装置１０の構造は、第１実施形態に例示された内容に限られない。変形例の体毛用光照射装置１０は、検知用発光部４２を省略している。この体毛用光照射装置１０の検知用受光部４３は、保護部品１３を介して光源部品１２の少なくとも１つと対向する。この検知用受光部４３は、光源部品１２から照射された光を受光する。この検知用受光部４３は、受光した光に応じて発生する光電流を劣化判定部４４に出力する。なお、第２実施形態の体毛用光照射装置６０においても同様の変形が成立する。
【００６１】
・第１実施形態の体毛用光照射装置１０は、筐体部品１１と結合された検知光源部４１を有する。ただし、検知光源部４１に関する構造は、第１実施形態に例示された内容に限られない。変形例の体毛用光照射装置１０は、以下の（ａ）〜（ｃ）のいずれかの構造を有する。なお、第２実施形態の体毛用光照射装置６０においても同様の変形が成立する。
【００６２】
（ａ）変形例の体毛用光照射装置１０は、検知光源部４１に代えて変形検知光源部を有する。変形検知光源部は、検知用発光部４２および検知用受光部４３がモジュール化された構造を有する。変形検知光源部は、筐体部品１１との結合および分離が可能な構造を有する。変形検知光源部は、筐体部品１１と結合されているとき、検知光源部４１と同様に機能する。この変形例の体毛用光照射装置１０は、次の効果を奏する。変形検知光源部は、筐体部品１１から分離されているとき、光源部品１２から照射された光が保護部品１３に入射することを妨げにくい。このため、変形例の体毛用光照射装置１０は、育毛作用光を効率的に頭皮に照射することができる。
【００６３】
（ｂ）変形例の体毛用光照射装置１０は、検知用発光部４２に代えて変形検知用発光部を有する。変形検知用発光部は、筐体部品１１との結合および分離が可能な構造を有する。変形検知用発光部は、筐体部品１１と結合されているとき、検知用発光部４２と同様に機能する。
【００６４】
（ｃ）変形例の体毛用光照射装置１０は、検知用受光部４３に代えて変形検知用受光部を有する。変形検知用受光部は、筐体部品１１との結合および分離が可能な構造を有する。変形検知用受光部は、筐体部品１１と結合されているとき、検知用受光部４３と同様に機能する。この変形例の体毛用光照射装置１０は、上記（ａ）の体毛用光照射装置１０が奏する効果に準じた効果を奏する。
【００６５】
・第１実施形態の体毛用光照射装置１０は、育毛型光照射装置の形態を有する。ただし、体毛用光照射装置１０の機能は、第１実施形態に例示された内容に限られな。変形例の体毛用光照射装置１０は、体毛美容作用を促進させる美容型光照射装置の形態を有する。体毛美容作用は、生体の抑毛作用または脱毛作用を示す。抑毛は、生体における体毛の再生および成長が抑制される現象を示す。脱毛は、生体から体毛が抜ける現象を示す。この変形例の体毛用光照射装置１０の光源部品１２は、体毛美容作用を促進させるために頭皮に照射される光を出力する。この光は、体毛美容作用を促進させることに適したスペクトルを有する。なお、第２実施形態の体毛用光照射装置６０においても同様の変形が成立する。
【００６６】
・第１実施形態の体毛用光照射装置１０は、光源部品１２としてＬＥＤランプを有する。ただし、光源部品１２の種類は、第１実施形態に例示された内容に限られない。変形例の体毛用光照射装置１０は、光源部品１２の一例として、蛍光ランプ、キセノンランプ、またはＥＬランプを有する。なお、第２実施形態の体毛用光照射装置６０においても同様の変形が成立する。
【００６７】
・第１実施形態の体毛用光照射装置１０は、頭皮に育毛作用光を照射する。ただし、体毛用光照射装置１０の適用対象は、第１実施形態に例示された内容に限られない。変形例の体毛用光照射装置１０は、人体の頭皮以外の部位または動物に育毛作用光を照射する。
【００６８】
・第２実施形態の検知用受光部４３は、検知位置に存在するとき、保護部品１３との間に検知用空間４７を形成する。ただし、検知用受光部４３の配置箇所は、第２実施形態に例示された内容に限られない。変形例の検知用受光部４３は、検知位置に存在するとき、保護部品１３の外面上に配置される。すなわち、変形例の検知用受光部４３は、検知位置に存在するとき、保護部品１３との間に検知用空間４７を形成しない。
【００６９】
・第２実施形態の検知用受光部４３は、退避位置に存在するとき、検知用受光部４３の全体が退避用空間４６に収容される。ただし、検知用受光部４３の収容形態は、第２実施形態に例示された内容に限られない。変形例の検知用受光部４３は、退避位置に存在するとき、検知用受光部４３の一部が退避用空間４６に収容され、別の一部が収容空間１４に存在する。この体毛用光照射装置６０は、第２実施形態の体毛用光照射装置６０が奏する（６）の効果に準じた効果を奏する。
【００７０】
（課題を解決するための手段に関する付記）
課題を解決するための手段は、下記の［付記手段１］および［付記手段２］を含む。なお、［付記手段１］および［付記手段２］が有する事項は、実施形態において開示された事項と対応している。
【００７１】
［付記手段１］
付記手段１の体毛用光照射装置は、請求項４に記載の体毛用光照射装置において、次の事項を有する。前記検知用発光部および前記検知用受光部は、前記保護部品の中間部分を介して互いに対向している。
【００７２】
［付記手段２］
付記手段２の体毛用光照射装置は、請求項４または付記手段１に記載の体毛用光照射装置において、次の事項を有する。前記体毛用光照射装置は、受光部用駆動装置を有する。前記受光部用駆動装置は、前記検知用受光部を前記筐体部品に対して移動させる。前記検知用受光部は、前記筐体部品に対して検知位置または退避位置を取る。前記検知位置は、前記保護部品を介して前記検知用発光部と対向する位置を示す。前記退避位置は、前記検知用受光部が前記筐体部品の壁部に収容される位置を示す。
【符号の説明】
【００７３】
１０…体毛用光照射装置、１１…筐体部品、１２…光源部品、１３…保護部品、１４…収容空間
２０…電源装置
３０…駆動装置
４０…検知装置、４１…検知光源部、４２…検知用発光部、４３…検知用受光部、４４…劣化判定部、４５…劣化報知部、４６…退避用空間、４７…検知用空間
５０…受光部用駆動装置
６０…体毛用光照射装置
【図１】
2014144151.tif 000003
【図２】
2014144151.tif 000004
【図３】
2014144151.tif 000005
【図４】
2014144151.tif 000006